(57)【特許請求の範囲】
【請求項１】
近距離無線通信によって接続可能な携帯電子機器、ミシン、及び、ネットワークを介し、複数の前記ミシンと接続するサーバを含むミシン管理システムであって、
前記携帯電子機器は、
利用者を識別する識別情報を記憶する第一記憶部と、
前記第一記憶部に記憶する前記識別情報を前記ミシンに送信する第一送信手段と
を備え、
前記ミシンは、
前記携帯電子機器が前記第一送信手段により送信した前記識別情報を受信する第一受信手段と、
前記識別情報と、前記ミシンの複数種類の機能に関する設定の変更に対する利用者の権限を示す権限情報とを対応付けた管理情報を記憶する第二記憶部と、
前記第二記憶部に記憶する前記管理情報に基づいて、前記第一受信手段が受信した前記識別情報に対応する前記権限情報を決定する第一決定手段と、
前記第一決定手段が決定した前記権限情報に基づいて、前記ミシンの設定変更に対する操作を制限する制限手段と
を備え、
前記サーバは、
前記管理情報を記憶する第三記憶部と、
前記ネットワークを介して複数の前記ミシンの夫々に前記第三記憶部が記憶する前記管理情報を送信する第二送信手段と、
前記第三記憶部が記憶する前記管理情報の前記権限情報に対する編集を受け付ける受付手段と、
前記受付手段により編集を受け付けた場合、編集後の前記管理情報を前記第三記憶部に記憶する記憶手段と、
を備え、
前記第二送信手段は、前記記憶手段により編集後の前記管理情報を前記第三記憶部に記憶した場合、前記第三記憶部に記憶した編集後の前記管理情報を、複数の前記ミシンの夫々に送信し、
前記ミシンは、前記サーバが前記第二送信手段により送信した前記管理情報を受信する第二受信手段を更に備え、
前記ミシンは、前記第二受信手段が受信した前記管理情報を前記第二記憶部に記憶すること
を特徴とするミシン管理システム。
【請求項２】
前記ミシンの複数種類の機能の１つは、前記ミシンの縫製速度の設定値であり、
前記権限情報の１つは、前記ミシンの縫製速度の設定値に対する設定変更の可否を示す情報であることを特徴とする請求項１に記載のミシン管理システム。
【請求項３】
前記管理情報は、前記識別情報に、更に、利用者を特定可能な利用者情報を対応づけた情報を含み、
前記ミシンは、
前記管理情報に基づいて、前記識別情報に対応する前記利用者情報を決定する第二決定手段と、
前記第二決定手段が決定した前記利用者情報を報知する第一報知手段と
を更に備えたことを特徴とする請求項１又は２に記載のミシン管理システム。
【請求項４】
前記管理情報は、前記識別情報に、更に、利用者の所属先を特定可能な所属情報を対応づけた情報を含み、
前記ミシンは、
前記管理情報に基づいて、前記識別情報に対応する前記所属情報を決定する第三決定手段と、
前記第三決定手段が決定した前記所属情報を報知する第二報知手段と
を更に備えたことを特徴とする請求項１から３の何れかに記載のミシン管理システム。
【発明の詳細な説明】
【技術分野】
【０００１】
本発明は、ミシンの作動条件を設定することができるミシン管理システムに関する。
【背景技術】
【０００２】
ミシンは、操作パネルの操作を受け付け、ミシンモータの回転数等、各種機能の設定を変更することができる。複数台のミシンを管理する管理者は、ミシンで縫製作業を行う作業者の練度に応じ、夫々のミシンにおける各種機能の設定の組み合わせを変更する。作業者が保持するＩＤカードの情報を読み取ることができるミシンがある（例えば特許文献１参照）。特許文献１のミシンは、予め機能設定の組み合わせを複数種類記憶し、ＩＤカード情報に基づく作業者に応じた組合せで各種機能を設定する。
【先行技術文献】
【特許文献】
【０００３】
【特許文献１】特開２００８−２７２３４５号公報
【発明の概要】
【発明が解決しようとする課題】
【０００４】
しかしながら、作業者は、操作パネルを操作し、管理者の意図しない設定変更を行う可能性がある。故に管理者は、ミシンに対し、各種機能の設定に加え、各種機能の設定を変更できないように保護する機能の設定を行う。管理者は、複数台のミシンに対し、夫々の操作パネルを操作してミシンの保護機能の設定を行うので、手間がかかるという問題があった。
【０００５】
本発明の目的は、ミシンの各種機能の設定変更を制限する設定を容易に行うことができるミシン管理システムを提供することである。
【課題を解決するための手段】
【０００６】
本発明の第一態様によれば、近距離無線通信によって接続可能な携帯電子機器、ミシン、及び、ネットワークを介し、複数の前記ミシンと接続するサーバを含むミシン管理システムであって、前記携帯電子機器は、利用者を識別する識別情報を記憶する第一記憶部と、前記第一記憶部に記憶する前記識別情報を前記ミシンに送信する第一送信手段とを備え、前記ミシンは、前記携帯電子機器が前記第一送信手段により送信した前記識別情報を受信する第一受信手段と、前記識別情報と、前記ミシンの複数種類の機能に関する設定の変更に対する利用者の権限を示す権限情報とを対応付けた管理情報を記憶する第二記憶部と、前記第二記憶部に記憶する前記管理情報に基づいて、前記第一受信手段が受信した前記識別情報に対応する前記権限情報を決定する第一決定手段と、前記第一決定手段が決定した前記権限情報に基づいて、前記ミシンの設定変更に対する操作を制限する制限手段とを備え、前記サーバは、前記管理情報を記憶する第三記憶部と、前記ネットワークを介して複数の前記ミシンの夫々に前記第三記憶部が記憶する前記管理情報を送信する第二送信手段と、前記第三記憶部が記憶する前記管理情報の前記権限情報に対する編集を受け付ける受付手段と、前記受付手段により編集を受け付けた場合、編集後の前記管理情報を前記第三記憶部に記憶する記憶手段と、を備え、前記第二送信手段は、前記記憶手段により編集後の前記管理情報を前記第三記憶部に記憶した場合、前記第三記憶部に記憶した編集後の前記管理情報を、複数の前記ミシンの夫々に送信し、前記ミシンは、前記サーバが前記第二送信手段により送信した前記管理情報を受信する第二受信手段を更に備え、前記ミシンは、前記第二受信手段が受信した前記管理情報を前記第二記憶部に記憶することを特徴とするミシン管理システムが提供される。
【０００７】
ミシンは、第二記憶部に記憶する管理情報に基づいて、利用者の有する権限に応じて、機能の設定変更に対する操作を制限することができる。従って、ミシンの利用者が交代しても、ミシンは、新たな利用者の権限に応じ、機能の設定変更に対する操作を制限することができる。又、ミシン管理システムは、サーバから複数のミシンに管理情報を配信することで、管理者がミシンの夫々に管理情報を個別に設定する手間を軽減することができる。また、ミシン管理システムは、複数台のミシンに配信する管理情報をサーバにおいて一元管理することができるので、管理情報の修正が容易である。
【０００８】
第一態様において、前記ミシンの複数種類の機能の１つは、前記ミシンの縫製速度の設定値であってもよい。前記権限情報の１つは、前記ミシンの縫製速度の設定値に対する設定変更の可否を示す情報であってもよい。ミシンは、駆動モータの回転数の変更を制限することで、利用者が縫製物の縫製速度を変更するのを防ぐことができる。故にミシン管理システムは、利用者が縫製速度を増加させることによる縫製品質の低下を防止し、ミシンの寿命の低下を防止できる。更にミシン管理システムは、縫製速度が速まって縫製物を大量に生産し過ぎたり、縫製速度が遅くなって縫製物の生産が納期に間に合わなくなったりすることを抑制でき、縫製物を安定して生産することができる。
【０００９】
【００１０】
【００１１】
【００１２】
第一態様において、前記管理情報は、前記識別情報に、更に、利用者を特定可能な利用者情報を対応づけた情報を含んでもよい。前記ミシンは、前記管理情報に基づいて、前記識別情報に対応する前記利用者情報を決定する第二決定手段と、前記第二決定手段が決定した前記利用者情報を報知する第一報知手段とを更に備えてもよい。利用者は、利用者情報を確認することで、当該利用者が縫製作業を行うミシンが、当該利用者向けの各種設定を行ったミシンであるか否か判断することができる。
【００１３】
第一態様において、前記管理情報は、前記識別情報に、更に、利用者の所属先を特定可能な所属情報を対応づけた情報を含んでもよい。前記ミシンは、前記管理情報に基づいて、前記識別情報に対応する前記所属情報を決定する第三決定手段と、前記第三決定手段が決定した前記所属情報を報知する第二報知手段とを更に備えてもよい。利用者は、所属情報を確認することで、当該利用者が縫製作業を行うミシンが、当該利用者が属する所属先向けの各種設定を行ったミシンであるか否か判断することができる。
【図面の簡単な説明】
【００１４】
【図１】ミシン管理システム１００の概略的構成を示す図である。
【図２】サーバ１の電気的構成を示す図である。
【図３】ミシン２の斜視図である。
【図４】ミシン２の電気的構成を示す図である。
【図５】スマートフォン４の電気的構成を示す図である。
【図６】ミシン２の操作パネル６２の正面図である。
【図７】第一管理情報７０を示す図である。
【図８】第二管理情報８０を示す図である。
【図９】サーバ１、ミシン２、スマートフォン４が夫々行う処理とデータの流れを説明するシーケンス図（１／２）である。
【図１０】サーバ１、ミシン２、スマートフォン４が夫々行う処理とデータの流れを説明するシーケンス図（２／２）である。
【発明を実施するための形態】
【００１５】
以下、本発明を具現化した一実施の形態について、図面を参照して説明する。ミシン管理システム１００の概要を説明する。図１に示すように、サーバ１、複数台（本実施形態では三台）のミシン２、複数台（本実施形態では三台）のスマートフォン４は、本実施形態のミシン管理システム１００を構成する。サーバ１は、公知の構成のワークステーション又はパーソナルコンピュータ（ＰＣ）である。ミシン２は、公知の構成のミシンである。スマートフォン４は、公知の構成の多機能携帯電話である。スマートフォン４は、本発明に係る「携帯電子機器」の一例である。ミシン管理システム１００は、ミシン２の利用者がミシン２の機能の設定変更に対する操作を行う場合に、利用者に応じて操作を制限することができるシステムである。
【００１６】
サーバ１と複数のミシン２は、ネットワーク９を介して接続する。ネットワーク９は、例えば社内ＬＡＮ（Local Area Network）である。複数のミシン２の夫々は、例えば工場内に設置する。複数の作業者は夫々ミシン２を操作し、縫製物を生産する。ミシン２は、複数種類の機能に関する設定を夫々変更する操作を受け付ける。サーバ１は管理者の操作を受け付け、ミシン２の設定を変更する操作に対する利用者の権限を設定できる。ミシン２の利用者は、管理者及び作業者を含む。サーバ１は、利用者の権限を示す権限情報と、利用者を識別する識別情報を対応づけた管理情報を記憶する。サーバ１は、ネットワーク９を介して複数のミシン２に管理情報を配信する。
【００１７】
利用者は夫々、スマートフォン４を所持する。スマートフォン４は、ミシン２と近距離無線通信をすることができる。近距離無線通信の一例は、国際規格ＩＳＯ／ＩＥＣ  １８０９２として規定する方式、所謂ＮＦＣ（Near-Field Communication）である。スマートフォン４は、スマートフォン４を所持する利用者の識別情報を記憶する。スマートフォン４は、利用者がミシン２の操作を開始する前に、ミシン２に識別情報を送信する。ミシン２は、識別情報に基づいて、ミシン２の機能の設定変更に対する操作を利用者に応じて制限する。
【００１８】
サーバ１の電気的構成を説明する。図２に示すように、サーバ１はＣＰＵ１１を備える。ＣＰＵ１１はサーバ１の制御を司る。ＣＰＵ１１はチップセット１５Ａに接続し、チップセット１５Ａを介してＲＯＭ１２、ＲＡＭ１３、表示制御部１４と電気的に接続する。チップセット１５Ａは、ＣＰＵ１１と、ＲＯＭ１２、ＲＡＭ１３、表示制御部１４との間でデータの送受信を管理する一連の回路群である。ＲＯＭ１２は、ブートプログラム、ＢＩＯＳ等を記憶する。ＲＡＭ１３は、種々の一時データを記憶する。表示制御部１４は、モニタ１４Ａへの映像の表示を制御する。チップセット１５Ａはチップセット１５Ｂと接続する。ＣＰＵ１１は、チップセット１５Ｂを介し、ＨＤＤ（ハードディスクドライブ）１６、ＵＳＢ  Ｉ／Ｆ（インターフェイス）１７、通信Ｉ／Ｆ１８と電気的に接続する。チップセット１５Ｂは、ＣＰＵ１１と、ＨＤＤ１６、ＵＳＢ  Ｉ／Ｆ１７、通信Ｉ／Ｆ１８との間でデータの送受信を管理する一連の回路群である。ＨＤＤ１６は、ＯＳ、ミシン管理システム１００のサーバ用アプリケーション、第一管理情報７０（図７参照）、第二管理情報８０（図８参照）、その他各種アプリケーション、データ等を記憶する。ＵＳＢ  Ｉ／Ｆ１７は、ＵＳＢ規格に基づく通信を行うインターフェイスである。ＣＰＵ１１は、ＵＳＢ  Ｉ／Ｆ１７を介し、入力部１７Ａと電気的に接続する。入力部１７Ａは、キーボード、マウス等、サーバ１に対する操作の入力を行う装置である。通信Ｉ／Ｆ１８は、有線又は無線によってネットワーク９に接続し、データ通信を行うインターフェイスである。
【００１９】
ミシン２の概略的な構造を説明する。図３の左斜下方、右斜上方、左斜上方、右斜下方は夫々、ミシン２の前方、後方、左方、右方である。図３に示すように、ミシン２は、ベッド部５１、脚柱部５２、アーム部５３、頭部５４を備える。ベッド部５１はテーブル５５に載置する。ベッド部５１は前後方向に延び、内部に垂直釜（図示略）等を備える。脚柱部５２はベッド部５１後側から鉛直上方に延びる。脚柱部５２は内部にミシンモータ３０Ａ（図４参照）等を備える。アーム部５３は脚柱部５２上側からベッド部５１の上面に対向して前方に延びる。アーム部５３は内部に主軸（図示略）等を備える。頭部５４はアーム部５３前端に設ける。頭部５４は内部に針棒駆動機構（図示略）等を備える。針棒駆動機構は、主軸と接続し、主軸の駆動により針棒５６を上下動する。針棒５６は、頭部５４の下端から下方へ延びる。縫針５７は針棒５６の下端に装着する。ミシン２は、ベッド部５１の上方に作業台５８と移送装置５９を備える。作業台５８は、針板６０を備える。針板６０は、針棒５６直下の位置に、縫針５７が挿通可能な針穴（図示略）を有する。移送装置５９は、保持体６１、移動機構３１Ａ（図４参照）等を備える。保持体６１は縫製対象物（例えば加工布）を上下から挟んで保持する。移動機構３１Ａは、保持体６１を針板６０上で前後方向及び左右方向へ移動する。
【００２０】
ミシン２はテーブル５５上に操作パネル６２を備える。操作パネル６２は、第一ディスプレイ２８Ａ、第二ディスプレイ２８Ｂ、操作キー２９を備える。第一ディスプレイ２８Ａは、文字、図形等によるメッセージを表示可能な液晶ディスプレイである。第二ディスプレイ２８Ｂは、７セグメントディスプレイ及びＬＥＤランプであり、ミシン２の各種機能の設定に関する情報等を表示する。操作キー２９は、各種指示の入力を受け付ける。ミシン２は、テーブル５５の下方に制御箱６３を備える。制御箱６３は、ミシン２の制御基板（図示略）を収容する。操作パネル６２はケーブル（図示略）を介して制御基板と接続する。ミシン２は、テーブル５５の下方にペダル３２を備える。ペダル３２は制御基板にコードで接続する踏み込み式のスイッチである。ペダル３２は、ミシン２の各種動作（例えばミシンモータ３０Ａの駆動等）に対する指示の入力を受け付ける。
【００２１】
ミシン２の電気的構成を説明する。図４に示すように、ミシン２は、ＣＰＵ２１を備える。ＣＰＵ２１はミシン２の制御を司る。ＣＰＵ２１は、ＲＯＭ２２が記憶する各種プログラムに従い、縫製に関わる各種演算と処理を実行する。ＣＰＵ２１は、ＲＯＭ２２、ＲＡＭ２３、フラッシュメモリ２４、Ｉ／Ｏ２５と電気的に接続する。ＲＯＭ２２は、ミシン管理システム１００のミシン用アプリケーション、その他各種プログラム、各種初期設定パラメータ等を記憶する。ＲＡＭ２３は、ＣＰＵ２１の演算結果、ポインタ、カウンタ等を一時的に記憶する。フラッシュメモリ２４は、不揮発性メモリである。フラッシュメモリ２４は、第一管理情報７０（図７参照）、第二管理情報８０（図８参照）、利用者が入力した各種設定情報、縫製パターン等を記憶する。縫製パターンは、予めプログラムした複数種類の縫い模様である。ＣＰＵ２１は、Ｉ／Ｏ２５を介して、ＮＦＣ  Ｉ／Ｆ２６、通信Ｉ／Ｆ２７、駆動回路２８、３０、３１、ペダル３２に接続する。ＮＦＣ  Ｉ／Ｆ２６はＲＦＩＤ（Radio Frequency IDentification）のリーダライタであり、ＮＦＣの規格に準拠する近距離無線通信によってデバイス間でデータの送受信を行うインターフェイスである。ＮＦＣ  Ｉ／Ｆ２６はアンテナ２６Ａと電気的に接続する。アンテナ２６Ａは、操作パネル６２（図３参照）内の上部に設ける。
【００２２】
通信Ｉ／Ｆ２７は、有線又は無線によってネットワーク９に接続し、データ通信を行うインターフェイスである。駆動回路２８は、ＣＰＵ２１から受信する制御信号に従って操作パネル６２の第一ディスプレイ２８Ａ、第二ディスプレイ２８Ｂを駆動する。ＣＰＵ２１は、第一ディスプレイ２８Ａに各種メッセージを表示し、第二ディスプレイ２８Ｂに各種機能の設定に関する情報を表示する。操作キー２９は各種操作の入力を受け付け、ＣＰＵ２１に受付信号を出力する。駆動回路３０は、ミシンモータ３０Ａに接続し、ＣＰＵ２１から受信する制御信号に従ってミシンモータ３０Ａを駆動する。駆動回路３１は、ＣＰＵ２１から受信する制御信号に従って移動機構３１ＡのＸ軸モータとＹ軸モータ（図示略）を駆動する。Ｘ軸モータは、保持体６１を左右方向に移動する。Ｙ軸モータは、保持体６１を前後方向に移動する。ペダル３２は、利用者の足による操作の入力を検出し、検出信号を出力する。
【００２３】
スマートフォン４の電気的構成を説明する。図５に示すように、スマートフォン４は、ＣＰＵ４１を備える。ＣＰＵ４１はスマートフォン４の制御を司る。ＣＰＵ４１は、ＲＯＭ４２、ＲＡＭ４３、フラッシュメモリ４４、通信Ｉ／Ｆ４５、ディスプレイ４６、タッチパネル４７、ＮＦＣモジュール４８と電気的に接続する。ＲＯＭ４２は、ブートプログラム、ＢＩＯＳ等を記憶する。ＲＡＭ４３は、種々の一時データを記憶する。フラッシュメモリ４４は、ＣＰＵ４１の制御プログラム、ミシン管理システム１００のスマートフォン用アプリケーション、その他各種アプリケーション等を記憶する。通信Ｉ／Ｆ４５は、Ｗｉ−Ｆｉ（登録商標）等の無線ＬＡＮ、又は３Ｇ、ＬＴＥ（Long Term Evolution）、４Ｇ等の通信規格に準拠する無線通信を行うためのインターフェイスである。スマートフォン４は、アクセスポイント（図示略）を介してネットワーク９に接続することができる。ディスプレイ４６は、例えば液晶パネル等の表示装置である。タッチパネル４７は、例えば静電容量式の位置検出装置であり、利用者の指等が触れた位置を検出する。タッチパネル４７はディスプレイ４６と略同じ大きさに形成し、ディスプレイ４６上に重ねて設ける。
【００２４】
ＮＦＣモジュール４８は、記憶部４８Ａ、送受信部４８Ｂ、アンテナ４８Ｃを備えるＲＦＩＤモジュールである。ＮＦＣモジュール４８は、アンテナ４８Ｃを介してミシン２のＮＦＣ  Ｉ／Ｆ２６等、ＲＦＩＤリーダライタと近距離無線通信できる。記憶部４８Ａは、データをセキュアに記憶でき、後述する識別情報（利用者ＩＤ）を記憶する。送受信部４８Ｂは、記憶部４８Ａに記憶するデータを他のデバイスに送信し、他のデバイスから受信するデータを記憶部４８Ａに記憶する処理を行う。ＣＰＵ４１は、送受信部４８Ｂを介し、記憶部４８Ａのデータを更新することができる。
【００２５】
ミシン２の各種機能の設定について説明する。図６に示すように、ミシン２は、操作パネル６２の操作キー２９に対する操作に基づき、各種機能の設定の変更を受け付けることができる。操作キー２９は、ＳＥＬＥＣＴキー６２１、上下キー６２４、上下選択キー６２６、ＴＥＳＴキー６２９、ＲＥＳＥＴキー６３０、ＥＮＴＥＲキー６３１、ＴＥＮＳＩＯＮキー６３３を含む。ミシン２は、各種機能の設定に関する情報を、第二ディスプレイ２８Ｂに表示することができる。第二ディスプレイ２８Ｂは、速度項目６２２、表示部６２３、表示部６２５、横倍率項目６２７、縦倍率項目６２８、カウンタ項目６３２を含む。速度項目６２２、横倍率項目６２７、縦倍率項目６２８、カウンタ項目６３２は夫々ＬＥＤランプであり、各項目を選択している時に点灯する。
【００２６】
ミシン２は、ミシンモータ３０Ａの回転数を変更する機能を有する。本機能で受け付ける回転数の変更処理は、ペダル３２を踏み込んだ時に駆動するミシンモータ３０Ａの１分当りの回転数を変更する処理である。針棒５６は、ミシンモータ３０Ａの１回の回転で１回の上下動を行い、加工布に１針分の縫目を形成する。故にミシンモータ３０Ａの回転数が増加すれば、ミシン２は、縫製速度（針／分）を速めることができる。縫製速度が速いほど上糸と加工布が生ずる摩擦熱が大きくなるので、管理者は、上糸と加工布に適した回転数を設定する。管理者がＳＥＬＥＣＴキー６２１を操作して速度項目６２２を選択した時、ミシン２のＣＰＵ２１は、表示部６２３にミシンモータ３０Ａの回転数、即ち縫製速度を表示する。管理者が上下キー６２４を操作した時、ＣＰＵ２１は、表示部６２３に表示する回転数を変更し、変更後の回転数をフラッシュメモリ２４に記憶する。
【００２７】
ミシン２は、縫製パターンを変更する機能を有する。本機能で受け付ける縫製パターンの変更処理は、予めプログラムした複数種類の縫い模様の１つを選択する処理である。管理者は、縫製物の生産内容に応じて縫い模様を設定する。ＣＰＵ２１は、表示部６２５に縫製パターンを示す番号を表示する。管理者が上下選択キー６２６を操作した時、ＣＰＵ２１は、表示部６２５に表示する縫製パターンの番号を変更し、変更後の番号をフラッシュメモリ２４に記憶する。
【００２８】
ミシン２は、拡大・縮小率を設定する機能を有する。本機能で受け付ける拡大・縮小率の変更処理は、縫製パターンに従い加工布に形成する縫い模様を拡大又は縮小して形成する倍率を変更する処理である。管理者は、縫製物の生産内容に応じて縫い模様の拡大・縮小率を設定する。管理者がＳＥＬＥＣＴキー６２１を操作して横倍率項目６２７又は縦倍率項目６２８を選択した時、ＣＰＵ２１は、表示部６２３に縫い模様の拡大・縮小率を表示する。管理者が上下キー６２４を操作した時、ＣＰＵ２１は、表示部６２３に表示する横倍率又は縦倍率の拡大・縮小率を変更し、変更後の横倍率又は縦倍率をフラッシュメモリ２４に記憶する。
【００２９】
ミシン２は、生産カウンタの値を設定する機能を有する。本機能で受け付ける生産カウンタの設定処理は、縫製物の生産数をクリア又は修正する処理である。管理者は、縫製物の生産開始前又は生産中に、縫製物の生産数をクリア又は修正することができる。管理者がＴＥＳＴキー６２９を操作しながら上下キー６２４の上キーを操作した時、ＣＰＵ２１は、表示部６２５と表示部６２３に生産カウンタの値を表示する。生産カウンタの値は、表示部６２５と表示部６２３に亙って７桁で表示できる。管理者が上下キー６２４を操作した時、ＣＰＵ２１は、生産カウンタの値を変更して表示部６２５と表示部６２３に表示する。管理者がＲＥＳＥＴキー６３０を操作した時、ＣＰＵ２１は、生産カウンタの値を０に変更して表示部６２５と表示部６２３に表示する。管理者がＥＮＴＥＲキー６３１とＴＥＳＴキー６２９を操作した時、ＣＰＵ２１は、表示部６２５と表示部６２３に表示する生産カウンタの値をフラッシュメモリ２４に記憶する。
【００３０】
ミシン２は、下糸カウンタの値を設定する機能を有する。本機能で受け付ける下糸カウンタの設定処理は、ボビンの糸量に合わせて縫製可能な加工布の枚数を設定する処理である。管理者は、縫製途中で下糸がなくなることを防止するため、下糸カウンタを設定する。管理者がＴＥＳＴキー６２９を操作しながら上下キー６２４の下キーを操作した時、ＣＰＵ２１は、表示部６２３に下糸カウンタの値を表示する。管理者が上下キー６２４を操作した時、ＣＰＵ２１は、表示部６２３に表示する下糸カウンタの値を変更する。管理者がＴＥＳＴキー６２９を操作した時、ＣＰＵ２１は、変更後の値をフラッシュメモリ２４に記憶する。
【００３１】
ミシン２は、メモリスイッチの設定状態を変更する機能を有する。本機能で受け付けるメモリスイッチの設定変更処理は、ミシン２の各種動作の設定を変更する処理である。ミシン２は、例えば、縫い模様の拡大・縮小率を％又はｍｍの何れで表示するかを、メモリスイッチの番号「１」に設定する。ミシン２は、例えば、管理者がＳＥＬＥＣＴキー６２１の操作でカウンタ項目６３２の選択時に、表示部６２３に生産目標レート（後述）を表示する又は表示しないの何れかを、メモリスイッチの番号「６」に設定する。ミシン２は、例えば、縫製終了後に保持体６１が加工布の保持を解除する又は解除しないの何れかを、メモリスイッチの番号「７」に設定する。管理者がＴＥＳＴキー６２９を操作しながらＴＥＮＳＩＯＮキー６３３を操作した時、ＣＰＵ２１は、表示部６２５にメモリスイッチの番号を表示し、表示した番号に対応するメモリスイッチの設定状態を表示部６２３に表示する。管理者が上下選択キー６２６を操作した時、ＣＰＵ２１は、表示部６２５に表示するメモリスイッチの番号を変更する。管理者が上下キー６２４を操作した時、ＣＰＵ２１は、表示部６２３に表示するメモリスイッチの設定状態を変更する。管理者がＥＮＴＥＲキー６３１とＴＥＳＴキー６２９を操作した時、ＣＰＵ２１は、メモリスイッチの設定の変更内容をフラッシュメモリ２４に記憶する。
【００３２】
ミシン２は、生産目標レートを設定する機能を有する。本機能で受け付ける生産目標レートの設定処理は、縫製物の所定時間あたりの生産数を設定又は修正する処理である。管理者は、縫製物の生産目標レートの指定と修正を行うことができる。管理者がＴＥＳＴキー６２９を操作しながら上下キー６２４の上キーと下キーを同時に操作した時、ＣＰＵ２１は、生産目標レートの設定モードに入り、表示部６２３に生産目標レートの値を表示する。管理者が上下キー６２４を操作した時、ＣＰＵ２１は、生産目標レートの値を変更して表示部６２３に表示する。管理者がＥＮＴＥＲキー６３１を操作した時、ＣＰＵ２１は、管理者が指定した生産目標レートの値をフラッシュメモリ２４に記憶する。管理者がＴＥＳＴキー６２９を操作した時、ＣＰＵ２１は、生産目標レートの設定モードを終了する。管理者がＳＥＬＥＣＴキー６２１の操作でカウンタ項目６３２を選択した時、６番のメモリスイッチがオンであれば、ＣＰＵ２１は、表示部６２３に生産目標レートを表示する。管理者が上下キー６２４を操作した時、ＣＰＵ２１は、生産目標レートの値を変更して表示部６２３に表示する。生産目標レートの設定モードでない時の生産目標レートの値の変更は、一時的な変更である。故にＣＰＵ２１は、生産目標レートの変更値をフラッシュメモリ２４に記憶しない。
【００３３】
管理情報を説明する。管理情報は、第一管理情報７０と第二管理情報８０を含む。図７に示すように、第一管理情報７０は、所属情報７１と権限情報７２を対応づけたテーブルである。所属情報７１は、ミシン２の利用者をカテゴリに分類した情報である。利用者を分類するカテゴリの名称は、「管理者」、「保守技術者」、「上級作業者」、「初級作業者」、「その他」である。管理者は、複数のミシン２を用いた縫製物の生産を管理する利用者である。保守技術者は、ミシン２の整備、保守を担当する利用者である。作業者は、ミシン２を操作して縫製物の生産を行う利用者である。作業者は、上級作業者と初級作業者を含む。上級作業者は、ミシン２の操作に慣れ、管理者が求める所定レベル以上の作業をこなせるようになった作業者であり、現場対応が可能である。初級作業者は、ミシン２の操作経験が少なく、管理者の求める所定レベルの作業をこなせない作業者である。その他は、上記のカテゴリに未分類の利用者である。
【００３４】
権限情報７２は、ミシン２の各種機能の設定の変更に対する利用者の権限を設定する情報である。利用者の権限は、利用者が属するカテゴリ単位で設定する。回転数を変更する権限７２１は、管理者、保守技術者、上級作業者に付与する。縫製パターンを変更する権限７２２、拡大・縮小率を変更する権限７２３、生産カウンタをクリアする権限７２４は、管理者と保守技術者に付与する。生産カウンタを修正する権限７２５、下糸カウンタを設定する権限７２６は、管理者、保守技術者、上級作業者に付与する。１〜５番のメモリスイッチを変更する権限７２７は、管理者と保守技術者に付与する。６番のメモリスイッチを変更する権限７２８は、管理者に付与する。７番、８番のメモリスイッチを変更する権限７２９は、管理者、保守技術者、上級作業者に付与する。生産目標レートを設定する権限７３０は、管理者と保守技術者に付与する。生産目標レートを一時的に修正する権限７３１は、管理者と上級作業者に付与する。初級者業者とその他に分類する利用者には、一切の権限を与えない。
【００３５】
図８に示すように、第二管理情報８０は、識別情報８１と利用者情報８２と所属情報８３を対応づけたテーブルである。識別情報８１は、サーバ１がミシン２の利用者に対して発行する利用者ＩＤである。利用者情報８２は、利用者名である。所属情報８３は、第一管理情報７０の所属情報７１に対応し、ミシン２の利用者をカテゴリに分類した情報である。
【００３６】
ミシン管理システム１００の動作を説明する。ミシン管理システム１００において、サーバ１、ミシン２、スマートフォン４は夫々、図９、図１０に示すシーケンス図に沿って各処理を行う。
【００３７】
サーバ１の動作を説明する。サーバ１のＣＰＵ１１は、管理者の操作に応じてミシン管理システム１００のサーバ用アプリケーションを実行する。図９に示すように、ＣＰＵ１１は、サーバ用アプリケーションの実行に従い、利用者ＩＤの発行処理（Ｓ１〜Ｓ６）、第二管理情報８０の編集処理（Ｓ７〜Ｓ１１）、第一管理情報７０の編集処理（Ｓ１２〜Ｓ１６）を行うことができる。スマートフォン４からＩＤ発行リクエストを受信せず（Ｓ１：ＮＯ）、管理者が第二管理情報８０の編集を行わず（Ｓ７：ＮＯ）、管理者が第一管理情報７０の編集を行わなければ（Ｓ１２：ＮＯ）、ＣＰＵ１１は処理をＳ１に戻して待機状態となる。
【００３８】
後述するが、ミシン２の新規の利用者は、利用者登録を行う時、スマートフォン４を操作してミシン管理システム１００のスマートフォン用アプリケーションを実行する。スマートフォン４のＣＰＵ４１は、スマートフォン用アプリケーションの処理においてサーバ１にＩＤ発行リクエストを送信する。サーバ１のＣＰＵ１１は、ネットワーク９を介して利用者のスマートフォン４からＩＤ発行リクエストを受信すると（Ｓ１：ＹＥＳ）、利用者ＩＤの発行処理を実行する。ＣＰＵ１１は、ＨＤＤ１６に記憶する第二管理情報８０を読み取り、発行済みのＩＤと被らない利用者ＩＤを所定の付与規則に従って新規に発行する（Ｓ２）。ＩＤ発行リクエストは、利用者情報を含む。ＣＰＵ１１は、利用者ＩＤと利用者名を対応づけ、夫々、識別情報８１と利用者情報８２のデータとしてＨＤＤ１６の第二管理情報８０に記憶する（Ｓ３）。第二管理情報８０の所属情報８３は未設定である。ＣＰＵ１１はＩＤ発行リクエストに対するレスポンスとして、発行した利用者ＩＤをスマートフォン４にネットワーク９を介して送信する（Ｓ５）。ＣＰＵ１１は、新規利用者の情報を追加した第二管理情報８０を複数のミシン２の夫々にネットワーク９を介して送信する（Ｓ６）。ＣＰＵ１１は、利用者ＩＤの発行処理を終了し、待機状態に移行する。
【００３９】
管理者が利用者の所属情報８３を編集する操作を行った場合（Ｓ７：ＹＥＳ）、ＣＰＵ１１は、第二管理情報８０の編集処理を実行する。ＣＰＵ１１は、ＨＤＤ１６に記憶する第二管理情報８０をＲＡＭ１３に読み込み、作業者ＩＤ、作業者名、カテゴリ名を対応づけた一覧をモニタ１４Ａに表示する。ＣＰＵ１１は、入力部１７Ａの操作に応じたカテゴリ名の編集を受け付ける（Ｓ８）。管理者が新規利用者のカテゴリ名を「その他」から適切なカテゴリ名に変更し、保存する操作を行うと、ＣＰＵ１１は、編集後の第二管理情報８０をＨＤＤ１６に上書きして記憶する（Ｓ１０）。管理者が既存の利用者のカテゴリ名を変更して保存した場合も同様に、ＣＰＵ１１は、編集後の第二管理情報８０をＨＤＤ１６に上書き記憶する。ＣＰＵ１１は、ネットワーク９を介して複数のミシン２の夫々に第二管理情報８０を送信する（Ｓ１１）。ＣＰＵ１１は、第二管理情報８０の編集処理を終了し、待機状態に移行する。
【００４０】
管理者が利用者の権限情報７２を編集する操作を行った場合（Ｓ１２：ＹＥＳ）、ＣＰＵ１１は、第一管理情報７０の編集処理を実行する。ＣＰＵ１１は、ＨＤＤ１６に記憶する第一管理情報７０をＲＡＭ１３に読み込み、カテゴリ名とミシン２の各種機能に対する利用者の権限を対応づけた一覧をモニタ１４Ａに表示する。ＣＰＵ１１は、入力部１７Ａの操作に応じ、利用者の権限に対する編集を受け付ける（Ｓ１３）。管理者がミシン２の各種機能に対し、利用者を分類するカテゴリに付与した権限を変更し、保存する操作を行うと、ＣＰＵ１１は、編集後の第一管理情報７０をＨＤＤ１６に上書きして記憶する（Ｓ１５）。ＣＰＵ１１は、ネットワーク９を介して複数のミシン２の夫々に第一管理情報７０を送信する（Ｓ１６）。ＣＰＵ１１は、第一管理情報７０の編集処理を終了し、待機状態に移行する。管理者がサーバ１のＯＳ上でアプリケーションの実行を終了する操作を行った時、ＣＰＵ１１は、ミシン管理システム１００のサーバ用アプリケーションの実行を終了する。
【００４１】
スマートフォン４の動作を説明する。利用者が利用者登録を行う時、スマートフォン４のＣＰＵ４１は、利用者の操作に応じてミシン管理システム１００のスマートフォン用アプリケーションを実行する。ＣＰＵ４１は、タッチパネル４７の操作に応じ、利用者名の入力を受け付ける（Ｓ５１）。利用者が利用者名を入力すると、ＣＰＵ４１は、利用者名を含むＩＤ発行リクエストをサーバ１にネットワーク９を介して送信する（Ｓ５２）。ＣＰＵ４１は、サーバ１から利用者ＩＤを受信するまで待機する（Ｓ５３：ＮＯ）。前述したように、サーバ１のＣＰＵ１１は、新規利用者に対する利用者ＩＤを発行すると、Ｓ５の処理でスマートフォン４に利用者ＩＤを送信する。スマートフォン４のＣＰＵ４１は、利用者ＩＤをサーバ１からネットワーク９を介して受信すると（Ｓ５３：ＹＥＳ）、利用者ＩＤをＮＦＣモジュール４８の記憶部４８Ａに記憶する（Ｓ５５）。ＣＰＵ４１は、スマートフォン用アプリケーションの実行を終了する。
【００４２】
スマートフォン４のバッテリ（図示略）は、ＮＦＣモジュール４８に給電する。図１０に示すように、ＮＦＣモジュール４８の送受信部４８Ｂは、近距離無線通信を行わない場合（Ｓ６１：ＮＯ）、待機状態となる。ミシン２の利用者は、ミシン２を操作する場合、スマートフォン４を操作パネル６２上部に内蔵するアンテナ２６Ａに近づける。送受信部４８Ｂは、スマートフォン４とミシン２の間でＮＦＣによる無線通信が可能な距離に近づいた場合に、ミシン２のＮＦＣ  Ｉ／Ｆ２６とのネゴシエーションを図り接続を試みる。ＮＦＣ  Ｉ／Ｆ２６との接続が確立した場合（Ｓ６１：ＹＥＳ）、送受信部４８Ｂは、記憶部４８Ａから利用者ＩＤを読み出し（Ｓ６２）、ミシン２に送信する（Ｓ６３）。送受信部４８Ｂは、ＮＦＣ  Ｉ／Ｆ２６との接続を終了し、待機状態に戻る。
【００４３】
ミシン２の動作を説明する。ミシン２のＣＰＵ２１は、ミシン２の電源がＯＮになると、ミシン管理システム１００のミシン用アプリケーションを実行する。図９、図１０に示すように、ＣＰＵ２１は、ＮＦＣ  Ｉ／Ｆ２６に通電し、ＮＦＣによる近距離無線通信の開始を待機する状態に移行する（Ｓ２０）。ＣＰＵ２１は、ミシン用アプリケーションの実行に従い、管理情報受信処理（Ｓ２１〜Ｓ２５）、スマートフォン４との通信処理（Ｓ２６〜Ｓ３５）、設定変更処理（Ｓ３６〜Ｓ４０）、駆動処理（Ｓ４１〜Ｓ４２）を行うことができる。サーバ１から管理情報を受信せず（Ｓ２１：ＮＯ、Ｓ２３：ＮＯ）、スマートフォン４との通信が確立せず（Ｓ２６：ＮＯ）、利用者がミシン２の各種機能の設定変更を行わず（Ｓ３６：ＮＯ）、利用者がミシン２の操作を行わなければ（Ｓ４１：ＮＯ）、ＣＰＵ２１は処理をＳ２１に戻して待機状態となる。
【００４４】
前述したように、サーバ１のＣＰＵ１１は、利用者ＩＤの発行処理又は第二管理情報８０の編集処理において、第二管理情報８０をミシン２に送信する（Ｓ６又はＳ１１）。ミシン２のＣＰＵ２１は、サーバ１からネットワーク９を介して第二管理情報８０を受信した場合（Ｓ２１：ＹＥＳ）、フラッシュメモリ２４に第二管理情報８０を記憶し（Ｓ２２）、待機状態に移行する。サーバ１のＣＰＵ１１は、第一管理情報７０の編集処理において、第一管理情報７０をミシン２に送信する（Ｓ１６）。ミシン２のＣＰＵ２１は、サーバ１からネットワーク９を介して第一管理情報７０を受信した場合（Ｓ２３：ＹＥＳ）、フラッシュメモリ２４に第一管理情報７０を記憶し（Ｓ２５）、待機状態に移行する。
【００４５】
ミシン２の利用者は、ミシン２を操作する場合、スマートフォン４を操作パネル６２上部に内蔵するアンテナ２６Ａに近づける。ミシン２のＣＰＵ２１は、スマートフォン４がＮＦＣによる無線通信が可能な距離に近づいた場合に、ＮＦＣモジュール４８の送受信部４８Ｂとのネゴシエーションを図り接続を試みる。送受信部４８Ｂとの接続が確立したら（Ｓ２６：ＹＥＳ）、ＣＰＵ２１は、送受信部４８Ｂが送信する利用者ＩＤを受信する（Ｓ２７）。ＣＰＵ２１は、第二管理情報８０に基づいて、利用者ＩＤに対応する所属情報のカテゴリ名を取得する（Ｓ２８）。ＣＰＵ２１は、第一管理情報７０に基づいて、カテゴリ名に対応する各種機能の権限情報を決定してＲＡＭ２３に読み込む（Ｓ３０）。ＲＡＭ２３に読み込んだ権限情報は、後述する設定変更処理（Ｓ３６〜Ｓ４０）で使用する。ＣＰＵ２１は、第二管理情報８０に基づいて、利用者ＩＤに対応する利用者情報の利用者名を決定してＲＡＭ２３に読み込む（Ｓ３１）。ＣＰＵ２１は、読み込んだ利用者名を操作パネル６２の第一ディスプレイ２８Ａに表示する（Ｓ３２）。ＣＰＵ２１は、第二管理情報８０に基づいて、利用者ＩＤに対応する所属情報のカテゴリ名を決定してＲＡＭ２３に読み込む（Ｓ３３）。ＣＰＵ２１は、読み込んだカテゴリ名を第一ディスプレイ２８Ａに表示し（Ｓ３５）、通信処理（Ｓ２６〜Ｓ３５）を終了して待機状態に移行する。利用者は、第一ディスプレイ２８Ａに表示する利用者名とカテゴリ名を確認し、ミシン２が利用者を正しく認識したか判断できる。
【００４６】
ミシン２の利用者は、ミシン２の各種機能の設定を変更する場合、操作パネル６２の操作キー２９を操作する。ＣＰＵ２１は、受け付けた操作がミシン２の何れかの機能の設定を変更する操作である場合（Ｓ３６：ＹＥＳ）、処理をＳ３７に進める。ＣＰＵ２１は、受け付けた操作に対応する機能の権限情報を、ＲＡＭ２３に記憶する各種機能の権限情報から読み込む。ＣＰＵ２１は、受け付けた操作に対応する機能の設定を変更する権限を利用者が有する場合、設定変更に対応する操作キー２９の操作を受け付ける状態（アクティブ化）にする（Ｓ３７）。例えば、利用者が回転数を変更する権限７２１を有する場合、ＣＰＵ２１は、利用者がＳＥＬＥＣＴキー６２１を操作して速度項目６２２を選択した時の上下キー６２４の操作を受け付け、表示部６２３に表示する回転数を変更する。ＣＰＵ２１は、受け付けた操作に対応する機能の設定を変更する権限を利用者が有しない場合、設定変更に対応する操作キー２９の操作を受け付けない状態（非アクティブ化）にする。例えば、利用者が回転数を変更する権限７２１を有しない場合、ＣＰＵ２１は、利用者がＳＥＬＥＣＴキー６２１を操作して速度項目６２２を選択した時の上下キー６２４の操作を受け付けず、表示部６２３に表示する回転数を変更しない。ＣＰＵ２１は、利用者が各種機能の設定を変更した場合（Ｓ３８：ＹＥＳ）、変更後の設定をフラッシュメモリ２４に記憶して（Ｓ４０）、設定変更処理（Ｓ３６〜Ｓ４０）を終了して待機状態に移行する。ＣＰＵ２１は、利用者が各種機能の設定を変更しなかった場合（Ｓ３８：ＮＯ）、設定変更処理（Ｓ３６〜Ｓ４０）を終了して待機状態に移行する。
【００４７】
ＣＰＵ２１は、ペダル３２に対する操作を受け付けた場合（Ｓ４１：ＹＥＳ）、縫製動作を行う（Ｓ４２）。ＣＰＵ２１は、フラッシュメモリ２４に記憶するミシンモータ３０Ａの回転数、縫製パターン、縫い模様の拡大・縮小率の各設定値に基づいて、ミシン２を駆動する。ＣＰＵ２１は、１つの加工布の縫製を完了すると、生産カウンタの値を１増やし、且つ下糸カウンタの値を１減らしてフラッシュメモリ２４に記憶する。ＣＰＵ２１は駆動処理（Ｓ４２）を終了し、待機状態に移行する。
【００４８】
以上説明したように、ミシン２は、フラッシュメモリ２４に記憶する第一管理情報７０と第二管理情報８０に基づいて、利用者の有する権限に応じて、機能の設定変更に対する操作を制限することができる。従って、ミシン２の利用者が交代しても、ミシン２は、新たな利用者の権限に応じ、機能の設定変更に対する操作を制限することができる。
【００４９】
ミシン２は、ミシンモータ３０Ａの回転数の変更を制限することで、利用者が縫製物の縫製速度を変更するのを防ぐことができる。故にミシン管理システム１００は、利用者が縫製速度を増加させることによる縫製品質の低下を防止し、ミシン２の寿命の低下を防止できる。更にミシン管理システム１００は、縫製速度が早まって縫製物を大量に生産し過ぎたり、縫製速度が遅くなって縫製物の生産が納期に間に合わなくなったりすることを抑制でき、縫製物を安定して生産することができる。
【００５０】
ミシン管理システム１００は、サーバ１から複数のミシン２に第一管理情報７０と第二管理情報８０を配信することで、管理者がミシン２の夫々に第一管理情報７０と第二管理情報８０を個別に設定する手間を軽減することができる。また、ミシン管理システム１００は、複数台のミシン２に配信する第一管理情報７０と第二管理情報８０をサーバ１において一元管理することができるので、第一管理情報７０と第二管理情報８０の修正が容易である。
【００５１】
ミシン２は、フラッシュメモリ２４に記憶する第一管理情報７０と第二管理情報８０に基づいて、利用者の有する権限に応じて、利用者の設定変更に対する操作を制限することができる。従って、ミシン２の利用者が交代しても、ミシン２は、新たな利用者の権限に応じ、設定変更に対する操作を制限することができる。
【００５２】
利用者は、第一ディスプレイ２８Ａに表示する利用者名を確認することで、当該利用者が縫製作業を行うミシン２が、当該利用者向けの各種設定を行ったミシン２であるか否か判断することができる。
【００５３】
利用者は、第一ディスプレイ２８Ａに表示するカテゴリ名を確認することで、当該利用者が縫製作業を行うミシン２が、当該利用者が属する所属先向けの各種設定を行ったミシン２であるか否か判断することができる。
【００５４】
なお、本発明は上記実施形態に限定されず、種々の変更を加えることが可能である。ミシン２が実行する各処理は、ＣＰＵ２１が実行する例に限定しない。上記各処理は、他の電子部品（例えばＡＳＩＣ（Application Specific Integrated Circuit）、ＦＰＧＡ（Field Programmable Gate Array）等）が実行してもよい。
【００５５】
ミシン２との近距離無線通信は、スマートフォン４に限らず、例えば記憶部と送受信部を内蔵するＩＣチップにアンテナを接続したＩＣラベルが行ってもよい。この場合、サーバ１は、ＵＳＢ  Ｉ／Ｆ１７に、ＮＦＣリーダライタを接続する。サーバ１のＣＰＵ１１は、ミシン管理システム１００のサーバ用アプリケーションの実行において発行した利用者ＩＤを、ＮＦＣリーダライタでＩＣチップの記憶部に書き込めばよい。利用者ＩＤを記憶したＩＣラベルは、例えば社員証等のカード類に貼設して利用者が使用すればよい。ＩＣチップは、ミシン２のＮＦＣ  Ｉ／Ｆ２６が輻射する電磁波によって発生する電磁誘導により生じた電流を用いて起動し、ミシン２に利用者ＩＤを送信すればよい。利用者ＩＤを記憶したＩＣチップは、ウェアラブルセンサ等に搭載してもよい。
【００５６】
近距離無線通信は、ＮＦＣに限らない。スマートフォン４は、例えば、Ｂｌｕｅｔｏｏｔｈ（登録商標）を用いた無線通信によってミシン２と通信し、利用者ＩＤをミシン２に送信してもよい。この場合、ミシン２は、操作パネル６２の上部にＬＥＤ灯などを設けてもよい。スマートフォン４とペアリングしたミシン２はＬＥＤ灯を点灯し、利用者が容易に確認できるようにしてもよい。
【００５７】
操作パネル６２は第一ディスプレイ２８Ａを備えなくてもよい。この場合、ミシン２は利用者名及びカテゴリ名の報知を行わなくてもよい。
【００５８】
ミシン管理システム１００は、サーバ１を備えなくてもよい。該場合、例えばスマートフォン４は、利用者ＩＤを予めＮＦＣモジュール４８の記憶部４８Ａに記憶すればよい。例えば第一管理情報７０と第二管理情報８０は、メモリカードに記憶する。ミシン２はメモリカードにデータを読み書きするメモリドライブを備え、メモリドライブを介してメモリカードから第一管理情報７０と第二管理情報８０を取得すればよい。
【００５９】
上記実施形態において、記憶部４８Ａが、本発明の「第一記憶部」に相当する。Ｓ６５において利用者ＩＤを送信するＣＰＵ４１が「第一送信手段」に相当する。Ｓ２７において利用者ＩＤを受信するＣＰＵ２１が「第一受信手段」及び「受信手段」に相当する。フラッシュメモリ２４が「第二記憶部」及び「記憶部」に相当する。Ｓ２８とＳ３０において利用者ＩＤに対応する権限情報を決定するＣＰＵ２１が「第一決定手段」に相当する。Ｓ３７において権限情報に応じて設定変更の操作を受け付ける状態又は受け付けない状態にするＣＰＵ２１が「制限手段」に相当する。ＨＤＤ１６が「第三記憶部」に相当する。Ｓ６、Ｓ１１、Ｓ１６において第一管理情報又は第二管理情報を送信するＣＰＵ１１が「第二送信手段」に相当する。Ｓ２１、Ｓ２３において第一管理情報又は第二管理情報を受信するＣＰＵ２１が「第二受信手段」に相当する。Ｓ３１において利用者ＩＤに対応する利用者名を決定するＣＰＵ２１が「第二決定手段」に相当する。Ｓ３２において利用者名を表示するＣＰＵ２１が「第一報知手段」に相当する。Ｓ３３において利用者ＩＤに対応するカテゴリ名を決定するＣＰＵ２１が「第三決定手段」に相当する。Ｓ３５においてカテゴリ名を表示するＣＰＵ２１が「第二報知手段」に相当する。
【符号の説明】
【００６０】
１                              サーバ
２                              ミシン
４                              スマートフォン
９                              ネットワーク
１１                            ＣＰＵ
１６                            ＨＤＤ
１８                            通信Ｉ／Ｆ
２１                            ＣＰＵ
２４                            フラッシュメモリ
２６                            ＮＦＣ  Ｉ／Ｆ
２７                            通信Ｉ／Ｆ
４１                            ＣＰＵ
４８Ａ                          記憶部
４８Ｂ                          送受信部
１００                          ミシン管理システム
【図１】
0006627260.tif 000002
【図２】
0006627260.tif 000003
【図３】
0006627260.tif 000004
【図４】
0006627260.tif 000005
【図５】
0006627260.tif 000006
【図６】
0006627260.tif 000007
【図７】
0006627260.tif 000008
【図８】
0006627260.tif 000009
【図９】
0006627260.tif 000010
【図１０】
0006627260.tif 000011